(57)【要約】      （修正有） 【課題】従来よりカッティングマシーンはパソコンを併用しないと不可能であった。パソコンはそれに慣れない人も多く，本考案はパソコンを用いずに自分でペン等を用いなぞることにより，写真等を思うようにカットできるようにしたものである。【解決手段】写真を２枚用意し，１つはカッティングマシーンに，他の１つは位置出し受台のタッチパネルに置く。タッチパネル上の写真をペン等でなぞるとカッティングマシーンと位置出し受台及びタッチパネルは連動しているので，即座にカッティングマシーンが写真をその通りにカットする。これによりパソコンを用いず思い通りにカットでき，立体写真を作る時等に広く用いられ便利である。【選択図】図１
0003141478.tif 000002
【実用新案登録請求の範囲】
【請求項１】
印刷物の一つを挿入できる，カッティングマシーンと，もう一つの印刷物を置く位置出し受台がケーブルで連がり，その位置出し受台の上のタッチパネル上の印刷物をペン等でなぞると，カッティングマシーンとタッチパネルが，即，連動し，カッティングマシーンの印刷物が同じようにカットできる，写真等の手動カッティングマシーン。
【請求項２】
即，連動するのではなく，一時複数の写真を貯めておき，後に一括にカットを行える請求項１に記載の写真等の手動カッティングマシーン。
【請求項３】
台紙と，接着剤と，印刷面の薄い紙よりなる３層の台紙を用いる請求項１に記載の写真等の手動カッティングマシーン。
【請求項４】
印刷面のある薄い紙を接着剤を塗布されたタッチパネル面に固定する請求項１に記載の写真等の手動カッティングマシーン。
【請求項５】
台紙の位置を決める２ヶ所のトンボＤと写真の位置出し用トンボＣを設けたカッティング用台紙を用いる請求項１に記載の写真等の手動カッティングマシーン。
【請求項６】
台紙に接着剤を塗布し，その上にのせる写真をのせる孔をカットしたガイド紙を設け，そのガイド紙の孔により台紙に写真を接着可能な請求項１に記載の写真等の手動カッティングマシーン。
【考案の詳細な説明】
【技術の分野】
【０００１】  本考案は，手で行う写真等の手動カッティングマシーンに関する。
【背景技術】
【０００２】  現在あるカッティングマシーンは，パソコンと連動させてカッティングを行うように出来ているが，本考案はタッチパネル同等品上で自分のほしい形状を手で描き連動しているカッティングマシーンに同じ動作をさせることで，自分のほしい形状をカットさせることが出来るものである。【０００３】
【特許文献】  この様なものは全くない。
【非特許文献】  各社のパンフレット等には全くない。
【考案の開示】
【考案が解決しようとする課題】
【０００４】  パソコンを用いず，パソコンに親しまない人にもカッティングを行うことが出来るようにする。これにより利用する人は拡大すると思う。
【課題を解決するための手段】
【０００５】  本考案は印刷物の一つを挿入できる，カッティングマシーンと，もう一つの印刷物を置く位置出し受台がケーブルで連がり，その位置出し受台の上のタッチパネル上の印刷物をペン等でなぞると，カッティングマシーンとタッチパネルが，即，連動し，カッティングマシーンの印刷物が同じようにカットできる，写真等の手動カッティングマシーンである。
【考案の効果】
【０００６】  自分のデジタルカメラで撮って写真をカッティングマシーンで切ることにより，立体写真を作ることも出来る。パソコンを用いなくても出来ることが最大の効果である。
【考案を実施するための最良の形態】
【０００７】  本考案は，カッティングマシーン１とタッチパネルが内蔵された位置出し受台２とで構成されている。又，この位置出し受台２にはカッティングマシーンを動かすソフトが組込まれている。タッチパネル同等品３の付いた位置出し受台２はＵＳＢケーブル等４で連結されている。図中，５は印刷物である。普通はタッチパネル同等品３の上に印刷物５を置くが変化例として，タッチパネル等を印刷物５の上に持っていっても良い。
又，タッチパネルを感知させるペンが必要であるが，タッチパネルが感圧式であれば，ボールペン，又は，鉛筆で良いが，その他の感知方式であれば，それ用のペンを使用する。【０００８】  次に操作を説明する。
まず，自分の描いた形状をカッティングマシーン１でカットする場合，カッティングマシーン１に取付ける用紙と位置出し受台２に入る大きさは同一とする。まず，カッティングマシーン１に用紙を取付けて，次にタッチパネルに用紙を置いてタッチパネルの上を自分のカットしたい形状に感知ペンで描く。同時にカッティングマシーン１が動作を開始し描いた形状にカットされる。この場合作動ソフトの作成によっては描いた形状の修正後，ボタンを押しカッティングマシーンが動作を開始するようにすることもできる。【０００９】  より具体的に作動を説明すると，印刷物５は２枚用意し，１つはカッティングマシーン１に入れ，１つは位置出し受台２に入れるが，印刷物５は両者同一サイズのものと考える。次に位置出し受台に挿入された印刷物５の上からカットしたい形状にペンを動かし，タッチパネルに感知させる。又は，位置出し受台に印刷物を挿入し，その上からタッチパネル３を置いて，タッチパネルの上からカットしたい形状にペンを動かしてタッチパネル３に感知させる。タッチパネル３で感知されたデータはＵＳＢケーブル４又は，同等品で，カッティングマシーンに伝わり瞬時にカッティングマシーン１が作動する。又は，ソフト上で，一旦データをため込んだ後まとめてカットを開始することも出来る。カットが終了した後，印刷物が貼られた台紙をカッティングマシーンから取り出しカットされた印刷物をピンセットか手で剥す。【００１０】  図中，図３，図４で示す第１の実施例では，印刷用紙は台紙６，接着剤７，印刷面の薄い紙８より成り台紙を剥し，薄い紙と接着剤をタッチパネル面の上に固定する。図５で示すように第２の実施例では印刷面にある薄い紙を接着剤を塗布されたタッチパネル３面に固定することも出来る。【００１１】  次にカッティング用台紙の形状を説明すると，台紙は下記のもので形成され，位置出し用トンボ（紙の位置出し）が印刷されている。写真用の位置出しとして，線Ａ，線Ｂが印刷されている。印刷された上に接着剤が塗布されている。接着剤は写真がのる面だけでもよいし，全面でも良い。又，その場合印刷された線を外して接着剤がある方が良い。操作としてはカットしたい写真を台紙の上に置く，その場合，線Ａ，線Ｂを基準として貼る。次にカッティングマシーンに台紙をセットする。又，カッティングマシーンは先ず，位置出しトンボＤの２ヶ所を検知し，次に写真１の写真トンボＣを検知する。次に使用者がタッチパネルに貼った印刷物の切りたい形状をタッチパネルが感知するタッチペンでなぞる。次にタッチパネルとカッティングマシーンは連動しているので，カッティングマシーン上にある印刷物がカットされる。この場合，修正等が考えられるので，確定ボタン等でＯＫにしてからカットを開始するソフトを作成して対応することも可能である。これにより写真１のカットを完了する。同じように写真２の写真用トンボを検知し，写真のカットを行う。【００１２】  他の実施例としては，図８，図９で示したように，台紙６に接着剤７を塗布しておき台紙６の上にのせるガイド紙１５に写真をのせる部分をカットした孔１６を設ける。ガイド紙１５は台紙６の上に接着剤により固定され，写真をのせる部分の孔１６は接着後，接着剤���露出しており，そこへ写真を貼り付ける。写真をのせる部分の孔１６の一端のガイド紙１５の１７は位置出し部である。
この方法は写真の位置出しをし易いという長所がある。【００１３】  図７で示すタッチパネルの形状及びカット倍率については，タッチパネルのサイズとアルバムに貼る写真（通常Ｌサイズ）が可能なサイズとする。写真の位置決め用のＸ，Ｙ軸を端部に設けるか，又は，位置出し受台の内側コーナーを写真の位置出しとしても良い。この場合ＸＹの軸線は必要ない。受台の一部にボタンを設け，ボタンを押してカット倍率が変更されることも可能である。印刷物である写真をカットする場合は１倍であるが，感知パネル上にＬ判の写真を置いてカッティングマシーン側に２Ｌ判の写真をセットした場合倍率を変更することで希望の形状にカットすることも出来る。自分の描いた形状をカットする場合もカット倍率を変更することでカットの大きさを変化させることが出来る。
又，図７の点線で示すように写真１４は，縦の場合も横の場合と同様に対応できる。
【産業上の利用可能性】
【００１４】  本考案は，パソコンを使えない人でも，写真を思う様に切る事が出来，広く用いられると思う。これにより立体写真も容易に作れることにより広く用いられると思う。
【図面の簡単な説明】
【００１５】
【図１】  カッティングマシーンと位置出し受台の斜視図である。
【図２】  タッチパネル等を印刷台の上に持っていった例の展開斜視図である。
【図３】  第１の実施例のタッチパネルに貼り付ける印刷用紙の斜視図である。
【図４】  図３で示したものから台紙を剥してタッチパネル面に貼り付ける状態を示す，展開斜視図である。
【図５】  第２の実施例を示す，展開斜視図である。
【図６】  カッティング用台紙に複数枚の写真をつけた状態を示す斜視図である。
【図７】  タッチパネルの形状と受台のコーナー位置出しを示す展開斜視図である。
【図８】  実施例の１つの展開斜視図である。
【図９】  図８の組立後の斜視図である。
【符号の説明】
【００１６】  １  カッティングマシーン
２  位置出し受台
３  タッチパネル
４  ＵＳＢケーブル
５  印刷物
６  台紙
７  接着剤
８  薄い紙
９  Ａ線
１０  Ｂ線
１１  写真用トンボＣ
１２  位置出しトンボＤ
１３  ボタン
１４  写真
１５  ガイド紙
１６  孔
１７  位置出し部
【図１】
0003141478.tif 000003
【図２】
0003141478.tif 000004
【図３】
0003141478.tif 000005
【図４】
0003141478.tif 000006
【図５】
0003141478.tif 000007
【図６】
0003141478.tif 000008
【図７】
0003141478.tif 000009
【図８】
0003141478.tif 000010
【図９】
0003141478.tif 000011